(57)【特許請求の範囲】
【請求項１】
シールド電線の心線に圧着される雌端子を備えた雌コネクタと、前記雌端子に接続される雄端子を備えた雄コネクタとからなり、
前記雄コネクタが、機器に固定される雄ハウジングと、この雄ハウジングの内面に固定され、機器のシールドケースと接触するシールドパイプと、シールドパイプ内に前記雄端子を保持する端子ホルダとを備えている機器接続用シールドコネクタにおいて、
前記雌コネクタは、前記雌コネクタを収容して前記シールドパイプに挿入可能な雌ハウジングと、この雌ハウジングの後端側に結合されたリアケースとを備え、このリアケースには、前記シールド電線のシールド層上に取り付けられた導電リングの外周面に接触する第一の接触子及び前記雄コネクタのシールドパイプの内周面に接触する第二の接触子を有するばね接触部材と、リアケースと前記シールド電線間を水密に封止する電線シール部材と、リアケースと前記雄ハウジング間を水密に封止するハウジングシール部材とが組み込まれていることを特徴とする機器接続用シールドコネクタ。
【発明の詳細な説明】
【０００１】
【発明の属する技術分野】
本発明は、例えば電気自動車の車内配線に使用されるシールド電線を、電気機器等に接続するためのシールドコネクタに関するものである。
【０００２】
【従来の技術】
図３に従来のシールドコネクタを示す。このシールドコネクタは例えば自動車内部に設置された電気機器10にシールド電線12を水密に接続するのに使用される。このシールドコネクタは、相互に嵌合可能な雄コネクタ14と雌コネクタ16とからなり、雄コネクタ14は電気機器10に取り付けられ、雌コネクタ16はシールド電線12の端部に取り付けられている。電気機器10の本体（図示せず）はアルミダイキャスト等で作製されたシールドケース10ａ内に収容されている。シールド電線12は心線12ａ、絶縁層12ｂ、シールド層12ｃ及びシース12ｄを有している。
【０００３】
雄コネクタ14は、ＰＢＴ（ポリブチレンテレフタレート）等のエンジニアリングプラスチックで作製された雄ハウジング18を有しており、雄ハウジング18の内面には銅合金等の導電性金属の薄板を筒状に成形したシールドパイプ20が強固に固着されている。シールドパイプ20は後端側にシールドケース10ａと接触するように広げられた弾性片20ａを有している。またシールドパイプ20の後端側にはＰＢＴ等のエンジニアリングプラスチックで作製された端子ホルダ22が強固に固定され、この端子ホルダ22に銅合金等の板で形成された雄端子24が強固に保持されている。前記雄ハウジング18は後端側にフランジ部18ａを有しており、このフランジ部18ａの端面にはシリコーンゴム等で作製されたシールリング26が取り付けられている。
【０００４】
上記のように構成された雄コネクタ14は、前記フランジ部18ａのボルト穴18ｂを、シールドケース10ａの雌ねじ穴10ｂに合わせて、ボルト（図示せず）をねじ込むことにより、電気機器10に固定される。これによりシールドパイプ20とシールドケース10ａが弾性片20ａを介して電気的に接続されると共に、雄ハウジング18とシールドケース10ａ間がシールリング26によって水密に封止される。
【０００５】
次に雌コネクタ16を組立順序に従って説明する。シールド電線12上には予めシリコーンゴム等で作製されたリング状の電線シール部材28と、ＰＢＴ等のエンジニアリングプラスチックで作製されたリング状のリテーナ30を挿通しておく。電線シール部材28とリテーナ30はシールド電線12の長手方向に摺動可能である。次にシールド電線12の端部に露出するシールド層12ｃ上に黄銅等の導電性金属で作製されたシールドリング32を圧着し、さらに心線12ａに雌端子34を圧着する。
【０００６】
その後、雌端子34を雌ハウジング36内に挿入する。すると雌端子34はハウジングランス36ａにより雌ハウジング36内部に係止される。雌ハウジング36には銅合金等の導電性金属で作製された筒状のシールドパイプ38がインサートモールドにより一体に設けられている。雌端子34を雌ハウジング36内に挿入すると、前記シールドリング32の外周部がシールドパイプ38の内周面に接触する。これによりシールド電線12のシールド層12ｃと雌ハウジング36のシールドパイプ38とがシールドリング32を介して電気的に接続される。
【０００７】
次に電線外周に挿通しておいた電線シール部材28を引き戻して図示の位置に配置すると共に、リテーナ30を引き戻して雌ハウジング36に取り付ける。この取り付けは、リテーナ30のロックアーム30ａを雌ハウジング36の係止突起36ｂに引っ掛けることにより行う。これによりシールド電線12と雌ハウジング36の間が水密に封止される。以上で雌コネクタ16の組立が完了する。なお雌ハウジング36には、前述の雄ハウジング18との間を水密に封止するリング状のハウジングシール部材40が取り付けられている。
【０００８】
以上のように構成された雌コネクタ16を、前述のようにシールドケース10ａに取り付けられた雄コネクタ14に嵌合させると、雌ハウジング36のロックアーム36ｃが雄ハウジング18の係止突起18ｃに引っ掛かり、雌コネクタ16は引き抜けなくなる。これで、雌ハウジング36と雄ハウジング18の間はハウジングシール部材40により封止される。また雌ハウジング36のシールドパイプ38と雄ハウジング18のシールドパイプ20とが接触し、雌端子34と雄端子24が嵌合する。その結果、シールド電線12のシールド層12ｃが電気機器10のシールドケース10ａと電気的に接続され、シールド電線12が電気機器10に水密に接続される。
【０００９】
【発明が解決しようとする課題】
従来のシールドコネクタにおいては、シールド電線のシールド層12ｃは、シールドリング32、雌側シールドパイプ38、雄側シールドパイプ20を順次介して電気機器のシールドケース10ａに接続されることになる。これらの部品間の接続個所のうち、シールドリング32と雌側シールドパイプ38との接続個所及び雌側シールドパイプ38と雄側シールドパイプ20との接続個所では、相手のパイプの中に、それよりやや小径のパイプを挿入して擦り合わせにより接続をするようになっており、双方のパイプは、その形状が円筒状であっても角筒状であっても、外形寸法及び内形寸法がそれぞれ精密に作製されなければならない。もし、これらの寸法に誤差があると、挿入ができなくなるか、パイプ間に隙間ができて接触不良を起こすことになる。また従来のシールドコネクタは部品点数が多いため、コスト高になる。
【００１０】
本発明の目的は、以上のような問題点に鑑み、シールド系統の電気的接続を確実に行うことができ、しかも部品点数を少なくしてコストを低減できる機器接続用シールドコネクタを提供することにある。
【００１１】
【課題を解決するための手段】
この目的を達成するため本発明は、シールド電線の心線に圧着される雌端子を備えた雌コネクタと、前記雌端子に接続される雄端子を備えた雄コネクタとからなり、前記雄コネクタが、機器に固定される雄ハウジングと、この雄ハウジングの内面に固定され、機器のシールドケースと接触するシールドパイプと、シールドパイプ内に前記雄端子を保持する端子ホルダとを備えている機器接続用シールドコネクタにおいて、
前記雌コネクタは、前記雌コネクタを収容して前記シールドパイプに挿入可能な雌ハウジングと、この雌ハウジングの後端側に結合されたリアケースとを備え、このリアケースには、前記シールド電線のシールド層上に取り付けられた導電リングの外周面に接触する第一の接触子及び前記雄コネクタのシールドパイプの内周面に接触する第二の接触子を有するばね接触部材と、リアケースと前記シールド電線間を水密に封止する電線シール部材と、リアケースと前記雄ハウジング間を水密に封止するハウジングシール部材とが組み込まれていることを特徴とするものである。
【００１２】
【発明の実施の形態】
以下、本発明の実施形態を、図面を参照して詳細に説明する。図１は本発明の一実施形態を示す。図において、10は電気機器、12はシールド電線、14は雄コネクタ、16は雌コネクタである。雄コネクタ14は、シールドパイプ20の長さが従来のものより長く、その後端がシールドケース10ａの内側に突出しており、シールドパイプ20の長手方向の中間に弾性片20ａが形成されている点で従来と異なるが、それ以外は従来と実質的に同じであるので、同一部分には同一符号を付して説明を省略する。
【００１３】
このシールドコネクタの特徴は雌コネクタ16の構造にある。雌コネクタ16は、雄コネクタ14のシールドパイプ20に挿入可能な大きさの雌ハウジング42と、この雌ハウジング42の後端側に結合されたリアケース44とを備えている。リアケース44には、シールド電線12のシールド層12ｃ上に取り付けられた導電リング46と雄コネクタ14のシールドパイプ20間を電気的に接続するばね接触部材48が取り付けられ、さらにシールド電線12とリアケース44間を水密に封止する電線シール部材50と、リアケース44と雄ハウジング18間を水密に封止するハウジングシール部材52とが組み込まれている。
【００１４】
ばね接触部材48は、図2に示すように、ばね弾性を有する金属板で作られたほぼテーパー状の筒体で、小径端側及び大径端側に多数の切り込みを入れることにより多数の弾性接触子48ａ、48ｂを形成したものである。ばね接触部材48は周方向に複数に分割されていてもよい。ばね接触部材48は軸線方向の中間部を図1のようにリアケース44により保持され、小径端側の第一の接触子48ａが導電リング46の外周面にばね圧をかけて接触し、大径側の第二の接触子48ｂがシールドパイプ20の内周面にばね圧をかけて接触するようになっている。
【００１５】
雌コネクタ16は次のように組み立てられる。まず、シールド電線12の端部に露出するシールド層12ｃ上に黄銅等の導電性金属の帯を巻きつけて圧着することにより導電リング46を取り付ける。導電リング46は外径がシールド電線12の外径とほぼ同じになるように形成する。次にシールド電線12上にＰＢＴ等のエンジニアリングプラスチックで作られたリアケース44を挿通する。リアケース44には前述のようにばね接触部材48、電線シール部材50及びハウジングシール部材52が取り付けられており、この状態でリアケース44はシールド電線12の長手方向に摺動可能である。
【００１６】
次にシールド電線12の端部の心線12ａに雌端子34を圧着する。その後、雌端子34を雌ハウジング42内に挿入する。最後まで挿入すると、雌端子34はハウジングランス42ａにより雌ハウジング42内に係止される。その後、シールド電線12上に挿通しておいたリアケース44を図示の位置まで引き戻すと、リアケース44のロックアーム44ａが雌ハウジング42の係止突起42ｂに引っ掛かり、雌ハウジング42とリアケース44が結合される。この状態でシールド電線12とリアケース44間は電線シール部材50により水密に封止される。以上で雌コネクタ16の組立が完了する。
【００１７】
以上のように組み立てられた雌コネクタ16を、シールドケース10ａに取り付けられた雄コネクタ14に嵌合させると、リアケース44のロックアーム44ｂが雄ハウジング18の係止突起18ｃに引っ掛かり、雌コネクタ16は引き抜けなくなる。図1はこの状態を示している。この状態でリアケース44と雄ハウジング18の間はハウジングシール部材52によって封止される。またばね接触部材48の第二の接触子48ｂが雄ハウジング18のシールドパイプ20の内周面に接触し、導電リング46とシールドパイプ20がばね接触部材48を介して電気的に接続される。さらに雌端子34と雄端子24が嵌合され、電気的に接続される。その結果、シールド電線12のシールド層12ｃが電気機器10のシールドケース10ａと電気的に接続され、シールド電線12が電気機器10に水密に接続されることになる。
【００１８】
【発明の効果】
以上説明したように本発明によれば、シールド層上の導電リングと雄コネクタ側のシールドパイプとを、ばね接触部材を介して接続するようにしたので、導電リングやシールドパイプの寸法精度を多少低くしても電気的接続を確実に行うことができる。また雌コネクタ側のシールドパイプを省略できるので、部品点数が少なくなり、コストを低減することができる。
【図面の簡単な説明】
【図１】本発明に係る機器接続用シールドコネクタの一実施形態を示す断面図。
【図２】図1のシールドコネクタに使用したばね接触部材を示す斜視図。
【図３】従来の機器接続用シールドコネクタを示す断面図。
【符号の説明】
10：電気機器
10ａ：シールドケース
12：シールド電線
14：雄コネクタ
16：雌コネクタ
18：雄ハウジング
24：雄端子
34：雌端子
42：雌ハウジング
44：リアケース
46：導電リング
48：ばね接触部材
48ａ：第一の接触子
48ｂ：第二の接触子
50：電線シール部材
52：ハウジングシール部材
【図１】
0004278846.tif 000002
【図２】
0004278846.tif 000003
【図３】
0004278846.tif 000004